(57)【要約】【課題】  燃料噴霧量が多い高負荷領域においても、燃焼室内に噴霧した燃料によるオイル希釈を発生しにくい火花点火式直噴エンジンを提供する。【解決手段】  本発明は、火花点火式直噴エンジン（１）であって、一端部に燃焼室（４）が形成されたシリンダ（２）と、このシリンダ内で往復運動するピストン（６）と、このピストンの往復運動によって回転されるクランクシャフトと、燃焼室のほぼ中央部に配置された点火プラグ（１０）と、燃焼室に形成された吸気開口を開閉する吸気弁（１３）と、燃焼室に形成された排気開口を開閉する排気弁（１５）と、燃焼室の周縁部に配置され、少なくとも排気弁が位置する方向に燃料を噴霧するインジェクタ（８）と、を有し、燃焼室の天井壁の下端（４ｄ）が、インジェクタの反対側の、少なくとも排気弁の背面側の領域において、シリンダの側壁面よりも内方に張り出していることを特徴としている。【選択図】      図１
2006258063.tif 000002
【特許請求の範囲】
【請求項１】
火花点火式直噴エンジンであって、
一端部に燃焼室が形成されたシリンダと、
このシリンダ内で往復運動するピストンと、
このピストンの往復運動によって回転されるクランクシャフトと、
上記燃焼室のほぼ中央部に配置された点火プラグと、
上記燃焼室に形成された吸気開口を開閉する吸気弁と、
上記燃焼室に形成された排気開口を開閉する排気弁と、
上記燃焼室の周縁部に配置され、少なくとも上記排気弁が位置する方向に燃料を噴霧するインジェクタと、
を有し、
上記燃焼室の天井壁の下端が、上記インジェクタの反対側の、少なくとも上記排気弁の背面側の領域において、上記シリンダの側壁面よりも内方に張り出していることを特徴とする火花点火式直噴エンジン。
【請求項２】
上記燃焼室の天井壁は、中央の直線状の領域が最も高く、その両側の領域が傾斜面となるように構成されており、これらの傾斜面の一方の吸気側傾斜面には、上記吸気弁及び上記インジェクタが配置され、他方の排気側傾斜面には、上記排気弁が配置され、上記排気側傾斜面の傾斜が、上記吸気側傾斜面の傾斜よりも急激である請求項１記載の火花点火式直噴エンジン。
【請求項３】
上記吸気側傾斜面が平面である請求項２記載の火花点火式直噴エンジン。
【請求項４】
上記排気弁が、その弁軸を、上記クランクシャフトを含む平面に投影したとき、上記シリンダの軸線と平行になるように配置されている請求項１乃至３の何れか１項に記載の火花点火式直噴エンジン。
【請求項５】
上記シリンダには、上記吸気弁及び上記排気弁が夫々２つずつ備えられ、上記インジェクタは、上記２つの吸気弁の間から燃料を噴霧するように配置され、上記吸気弁の弁軸間の距離が、上記排気弁の弁軸間の距離よりも長くなるように、上記各吸気弁及び上記各排気弁が配置されている請求項１乃至４の何れか１項に記載の火花点火式直噴エンジン。
【請求項６】
上記シリンダには、上記吸気弁が２つ備えられ、上記インジェクタは、上記２つの吸気弁の間から燃料を噴霧するように配置され、上記２つ吸気弁の各吸気開口に空気を導く２本の吸気ポートの終端部が、下流側に向かって間隔が広くなるように湾曲されている請求項１乃至５の何れか１項に記載の火花点火式直噴エンジン。
【請求項７】
上記シリンダには、上記吸気弁が２つ備えられ、上記インジェクタは、上記２つの吸気弁の間から燃料を噴霧するように配置され、上記２つ吸気弁の各吸気開口に空気を導く２本の吸気ポートの終端部の間隔が、上記２つの吸気弁の間隔よりも広い請求項１乃至６の何れか１項に記載の火花点火式直噴エンジン。
【請求項８】
上記燃焼室は、その天井壁の傾斜が、少なくとも上記インジェクタの反対側の、上記排気弁の背面側の領域において、その下端に向かって急激になるように形成されている請求項１乃至６の何れか１項に記載の火花点火式直噴エンジン。
【請求項９】
上記燃焼室の天井壁の下端と、上記シリンダの側壁面とを連結する壁面の少なくとも一部が、上記シリンダ軸線とほぼ直交するスキッシュ面として形成され、上記ピストンの冠面の、上記スキッシュ面と対向する部分が、上記シリンダ軸線とほぼ直交する平面で形成されている請求項１乃至８の何れか１項に記載の火花点火式直噴エンジン。
【発明の詳細な説明】
【技術分野】
【０００１】
本発明はエンジンに係わり、特に、火花点火式直噴エンジンに関する。
【背景技術】
【０００２】
特開２００４−１１６２２号公報（特許文献１）には、火花点火式直噴エンジンが記載されている。この火花点火式直噴エンジンは、複数の噴口を有するインジェクタを備え、各噴口から噴射される燃料噴霧が、点火プラグを避けつつ、点火プラグの電極の周囲に配列されるように構成されている。このエンジンでは、複数の燃料噴霧をこのように配列することにより、着火可能な空燃比の混合気を点火プラグの電極付近に偏在させ、成層燃焼を行うことによって燃費の改善を図っている。
【０００３】
【特許文献１】特開２００４−１１６２２号公報
【発明の開示】
【発明が解決しようとする課題】
【０００４】
しかしながら、燃料噴霧を点火プラグの周囲に偏在させると、特に高負荷領域で運転する場合において、噴霧された燃料が気化されないまま燃焼室やシリンダの壁面に到達し、シリンダ壁面に付着した燃料が、シリンダ壁面の潤滑油（オイル）に希釈され、燃料が希釈したオイルが、ピストンの下降によって掻き下げられてオイルパン内に落とされることで、潤滑性が低下したオイルが潤滑部位を循環し、潤滑性を低下させるという問題がある。
従って、本発明は、燃料噴霧量が多い高負荷領域においても、燃焼室内に噴霧した燃料による上記のようなオイル希釈を発生しにくくして、オイルの潤滑性低下を抑制することができる火花点火式直噴エンジンを提供することを目的としている。
【課題を解決するための手段】
【０００５】
上述した課題を解決するために、本発明は、火花点火式直噴エンジンであって、一端部に燃焼室が形成されたシリンダと、このシリンダ内で往復運動するピストンと、このピストンの往復運動によって回転されるクランクシャフトと、燃焼室のほぼ中央部に配置された点火プラグと、燃焼室に形成された吸気開口を開閉する吸気弁と、燃焼室に形成された排気開口を開閉する排気弁と、燃焼室の周縁部に配置され、少なくとも排気弁が位置する方向に燃料を噴霧するインジェクタと、を有し、燃焼室の天井壁の下端が、インジェクタの反対側の、少なくとも排気弁の背面側の領域において、シリンダの側壁面よりも内方に張り出していることを特徴としている。
【０００６】
このように構成された本発明においては、吸気弁が開放されると吸気開口からシリンダ内に空気が導入される。燃焼室の周縁部に配置されたインジェクタは、排気弁が位置する方向に燃料を噴霧する。インジェクタの反対側の、少なくとも排気弁の背面側の領域においては、燃焼室の天井壁の下端はシリンダの側壁面よりも内方に張り出しているので、噴霧された燃料が排気弁の背面側の領域に当たった場合にも、天井壁を流下した燃料がシリンダの側壁面に流れるのを抑制することができる。
【０００７】
このように構成された本発明によれば、天井壁を流下した燃料のシリンダ側壁面への流れが抑制されるので、燃料がシリンダ側壁面に付着することによるオイル希釈を抑制することができる。
【０００８】
本発明において、好ましくは、燃焼室の天井壁は、中央の直線状の領域が最も高く、その両側の領域が傾斜面となるように構成されており、これらの傾斜面の一方の吸気側傾斜面には、吸気弁及びインジェクタが配置され、他方の排気側傾斜面には、排気弁が配置され、排気側傾斜面の傾斜が、吸気側傾斜面の傾斜よりも急激である。
【０００９】
このように構成された本発明によれば、排気側傾斜面の傾斜が、吸気側傾斜面の傾斜よりも急激になるように構成されているので、排気側傾斜面に十分な大きさの排気開口を確保しながら、排気弁の背面側の領域において、燃焼室の天井壁の下端をシリンダの側壁面よりも内方に張り出させることができる。
【００１０】
本発明において、好ましくは、吸気側傾斜面は平面である。
このように構成された本発明によれば、吸気弁の弁軸を、クランクシャフトを含む平面に投影したとき、シリンダ軸線と平行になるように向けることができるので、吸気弁を駆動する機構を簡略化することができる。
【００１１】
本発明において、好ましくは、排気弁は、その弁軸を、クランクシャフトを含む平面に投影したとき、シリンダの軸線と平行になるように配置されている。
このように構成された本発明によれば、排気開口が形成されている燃焼室の天井面が球面状である場合にも排気弁を駆動する機構を簡略化することができる。
【００１２】
本発明において、好ましくは、シリンダには、吸気弁及び排気弁が夫々２つずつ備えられ、インジェクタは、２つの吸気弁の間から燃料を噴霧するように配置され、吸気弁の弁軸間の距離が、排気弁の弁軸間の距離よりも長くなるように、各吸気弁及び各排気弁が配置されている。
【００１３】
このように構成された本発明によれば、吸気弁の弁軸間の距離が排気弁の弁軸間の距離よりも長く構成されているので、吸気工程における燃料噴霧が吸気弁に当たるのを防止することができ、混合気分布を良好にすることができる。
【００１４】
本発明において、好ましくは、シリンダには、吸気弁が２つ備えられ、インジェクタは、２つの吸気弁の間から燃料を噴霧するように配置され、２つ吸気弁の各吸気開口に空気を導く２本の吸気ポートの終端部が、下流側に向かって間隔が広くなるように湾曲されている。
【００１５】
このように構成された本発明によれば、２本の吸気ポートの終端部が、下流側に向かって間隔が広くなるように、湾曲した形状に形成されているので、吸気が燃焼室の周縁部に沿うように流れ、噴霧された燃料が燃焼室の天井壁に当たるのを防止することができる。
【００１６】
本発明において、好ましくは、シリンダには、吸気弁が２つ備えられ、インジェクタは、２つの吸気弁の間から燃料を噴霧するように配置され、２つ吸気弁の各吸気開口に空気を導く２本の吸気ポートの終端部の間隔が、２つの吸気弁の間隔よりも広い。
【００１７】
このように構成された本発明によれば、２本の吸気ポートを通って各吸気開口から吸入される吸気が、燃焼室の周縁部寄りを通って吸入されるので、吸気が燃焼室の周縁部に沿うように流れ、噴霧された燃料が燃焼室の天井壁に当たるのを防止することができる。
【００１８】
本発明において、好ましくは、燃焼室は、その天井壁の傾斜が、少なくともインジェクタの反対側の、排気弁の背面側の領域において、その下端に向かって急激になるように形成されている。
【００１９】
このように構成された本発明によれば、燃焼室の天井壁の傾斜が、少なくともインジェクタの反対側の、排気弁の背面側の領域において、その下端に向かって急激になるように形成されているので、天井壁の下端に到達した燃料の落下を助長し、燃料がシリンダ側壁面に流れるのを抑制することができる。
【００２０】
本発明において、好ましくは、燃焼室の天井壁の下端と、シリンダの側壁面とを連結する壁面の少なくとも一部が、シリンダ軸線とほぼ直交するスキッシュ面として形成され、ピストンの冠面の、スキッシュ面と対向する部分が、シリンダ軸線とほぼ直交する平面で形成されている。
このように構成された本発明によれば、天井壁の下端から落下する燃料がシリンダ側壁面に流れるのを、スキッシュ流により抑制することができる。
【発明の効果】
【００２１】
本発明の火花点火式直噴エンジンによれば、燃料噴霧量が多い高負荷領域においても、燃焼室内に噴霧した燃料によるオイル希釈を抑制することができ、オイルの潤滑性低下を抑制することができる。
【発明を実施するための最良の形態】
【００２２】
次に、図１乃至図４を参照して、本発明の実施形態による火花点火式直噴エンジンを説明する。図１は、本発明の実施形態による火花点火式直噴エンジンの燃焼室付近を拡大して示す断面図である。図２は、本実施形態の火花点火式直噴エンジンのピストン、インジェクタ、点火プラグ等の位置関係を示す斜視図である。また、図３は本実施形態による火花点火式直噴エンジンのシリンダヘッドをピストン側から見た下面図である。なお、図３においては、シリンダの側壁面の位置を想像線で示している。また、図４は、図３のIV−IV線に沿って切断した燃焼室の天井壁の断面図である。
【００２３】
図１乃至図３に示すように、本発明の実施形態による火花点火式直噴エンジン１は、シリンダ２と、このシリンダ２の上端に形成された燃焼室４と、シリンダ２の内部で往復運動するピストン６と、を有する。ピストン６の下部には、コネクティングロッド（図示せず）が接続され、このコネクティングロッドは、クランクシャフト（図示せず）に連結されて、ピストン６の往復運動がクランクシャフトの回転運動に変換される。なお、本実施形態のエンジン１は、直列４気筒であり、図１の紙面に垂直な方向に４本のシリンダ２が直線状に並べて配置されている。
【００２４】
また、エンジン１は、燃焼室４の周縁部から中央部に向けて燃料を噴霧するインジェクタ８と、燃焼室４のほぼ中央に配置された点火プラグ１０と、を有する。さらに、エンジン１は、燃焼室４の天井壁に開口した吸気開口１２ａに連通した吸気ポート１２と、排気開口１４ａに連通した排気ポート１４と、を有する。また、エンジン１は、吸気開口１２ａを開閉するための吸気弁１３と、排気開口１４ａ開閉するための排気弁１５（図１に１つのみ図示）と、を有する。
【００２５】
燃焼室４は、シリンダ２の上端部に設けられており、その天井壁は、中央が高く、その両側の領域が周縁に向かって低くなるペントルーフ形状に形成されている。また、燃焼室４の傾斜した天井壁には、２つの吸気開口１２ａと、２つの排気開口１４ａが形成されている。なお、吸気開口１２ａ及び排気開口１４ａは、夫々、図１の紙面に垂直な方向に２つずつ並べて配置されている。さらに、燃焼室４の天井壁の中央部から、鉛直下方に延びるように点火プラグ１０が配置されている。また、燃焼室４の天井壁に形成された２つの吸気開口１２ａの間には、インジェクタ８が配置されている。このインジェクタ８は、燃焼室４の周縁部から点火プラグ１０が配置された中央部の方向に燃料を噴霧するように向けられている。即ち、インジェクタ８は、その中心軸が、鉛直上方から見てシリンダ２の中心点を通り、側面から見て斜め下方を向くように配置されている。
【００２６】
燃焼室４の天井壁は、点火プラグ１０が配置された中央水平面４ａと、吸気開口１２ａが形成された吸気側傾斜面４ｂと、排気開口１４ａが形成された排気側傾斜面４ｃと、を有する。
中央水平面４ａは、燃焼室４内で最も高く、その中央を通り半径方向に延びる細長い直線状の水平な平面として構成されている。
吸気側傾斜面４ｂは、中央水平面４ａから連続して、斜め下方に延びる傾斜した平面として構成されている。また、吸気側傾斜面４ｂには、中央水平面４ａと平行な方向に並べられた２つの吸気開口１２ａが形成されている。さらに、２つの吸気開口１２ａの間の周縁部側には、インジェクタ８が配置されている。
【００２７】
排気側傾斜面４ｃは、中央水平面４ａから連続して、斜め下方に延びる傾斜した曲面として構成されている。排気側傾斜面４ｃの傾斜は、吸気側傾斜面４ｂよりも急激であり、中央水平面４ａに接する中央部で最も小さく、周縁部に向かって次第に急峻になるように構成されている。本実施形態においては、図４に示すように、排気側傾斜面４ｃは、概ね球面によって構成されている。また、排気側傾斜面４ｃには、中央水平面４ａと平行な方向に並べられた２つの排気開口１４ａが形成されている。
【００２８】
天井壁の中央水平面４ａから延びる吸気側傾斜面４ｂ及び排気側傾斜面４ｃは、燃焼室４の天井壁の下端４ｄまで延びている。図１及び図３に示すように、天井壁の下端４ｄは、シリンダ２の側壁面よりも内方に張り出すように形成されている。さらに、天井壁の下端４ｄの外方には、シリンダ２の軸線に直交する平面であるスキッシュ面４ｅが形成されている。即ち、天井壁の下端４ｄとシリンダ２の側壁面とを連結する壁面は、水平方向に延びるスキッシュ面４ｅとして形成されている。従って、中央からその下端に向かって急激に傾斜する排気側傾斜面４ｃは、天井壁の下端４ｄで、ほぼ直角に折れ曲がり、水平方向に延びるスキッシュ面４ｅに繋がっている。
【００２９】
ピストン６は、図１及び図２に示すように、その冠面が、最も高い頂点６ａから両側に向かって低くなるペントルーフ状の隆起部６ｂが形成されている。また、隆起部６ｂの周囲には水平方向、即ちシリンダ２の軸線と直交する方向に向けられた平面であるスキッシュ面６ｃが形成されている。
【００３０】
インジェクタ８は、燃焼室４の周縁部から、燃焼室の中央部に向かって燃料を噴霧するように構成されている。インジェクタ８の先端部には、６つの微小な噴口が形成されている。なお、本実施形態においては、インジェクタ８の各噴口の直径は、０．３乃至０．５ｍｍであり、インジェクタ本体８ａ内には、約２０ＭＰａに加圧された燃料が供給される。
【００３１】
また、図２に示すように、インジェクタ８は、図２における上側、即ち、燃焼室４の天井壁に近接する側に噴霧される３つのプラグ側燃料噴霧１６ａ、１６ｂ、１６ｃと、図２における下側、即ち、ピストン６に近接する側に噴霧される３つのピストン側燃料噴霧１８ａ、１８ｂ、１８ｃと、を噴霧する。プラグ側燃料噴霧１６ａ、１６ｂ、１６ｃは、インジェクタ８先端部の軸心に対して上方に傾斜して噴霧される。プラグ側燃料噴霧１６ａ、１６ｂは、最も上方に、即ち、燃焼室４の天井壁に近接する方向に向けられており、点火プラグ１０の点火点１０ａの両側に、点火点１０ａの真横を夫々通るように噴霧される。また、プラグ側燃料噴霧１６ｃは、プラグ側燃料噴霧１６ａ、１６ｂよりも僅かに下方に向けて、点火点１０ａの真下を通るように噴霧される。
【００３２】
一方、ピストン側燃料噴霧１８ａは、インジェクタ８先端部の軸心に対して僅かに下方に傾斜して、プラグ側燃料噴霧１６ｃの真下に噴霧される。また、ピストン側燃料噴霧１８ｂ、１８ｃは、ピストン側燃料噴霧１８ａよりも更に下方に傾斜して、真横に並んで噴霧される。ピストン側燃料噴霧１８ｂと１８ｃの為す角は、プラグ側燃料噴霧１６ａと１６ｂの為す角よりも僅かに小さくなっている。
【００３３】
吸気ポート１２は、燃焼室４の吸気側傾斜面４ｂに形成された２つの吸気開口１２ａに空気を導く管路として構成されている。吸気ポート１２は、エンジン１の各シリンダ２の各吸気開口１２ａに１本ずつ設けられている。１つのシリンダ２に接続される２本の吸気ポート１２は、その終端部が下流側に向かって間隔が広くなるように、湾曲した形状に形成されている。これらの間隔を空けた２本の吸気ポート１２の間にインジェクタ８が配置されている。また、これら２本の吸気ポート１２の終端部の間隔は、吸気弁１３の間隔よりも広くなっている。即ち、吸気開口１２ａの中心点は、吸気弁１３の弁軸の中心と一致しており、２つの吸気弁１３の弁軸の中心間距離よりも、２本の吸気ポート１２の終端部の中心間距離の方が長くなっている。
【００３４】
吸気弁１３は、各吸気開口１２ａを開閉するために、各吸気開口１２ａに夫々対応して設けられている。各吸気弁１３は、クランクシャフト（図示せず）を含む平面Ｐ１に投影したとき、その弁軸１３ａが、シリンダ２の軸線に対して平行になるように向けられている。また、各吸気弁１３の弁軸１３ａは、燃焼室４の天井壁の吸気側傾斜面４ｂと直交するように向けられている。
【００３５】
排気ポート１４は、燃焼室４の排気側傾斜面４ｃに形成された２つの排気開口１４ａから排気ガスを排出する管路として構成されている。排気ポート１４は、エンジン１の各シリンダ２の各排気開口１４ａに１本ずつ設けられている。また、排気開口１４ａの直径は、吸気開口１２ａの直径よりも小さく形成されている。さらに、２つの排気開口１４ａの中心間距離Ｌ２は、吸気開口１２ａの中心間距離Ｌ１よりも短くなるように構成されている。
【００３６】
排気弁１５は、各排気開口１４ａを開閉するために、各排気開口１４ａに夫々対応するように設けられている。各排気弁１５は、クランクシャフト（図示せず）を含む平面Ｐ１に投影したとき、その弁軸１５ａが、シリンダ２の軸線に対して平行になるように向けられている。また、吸気開口１２ａの中心点と吸気弁１３の弁軸の中心は一致し、排気開口１４ａの中心点と排気弁１４の弁軸の中心も一致しているので、２つの排気弁１５の弁軸１５ａ間の距離Ｌ２は、２つの吸気弁１３の弁軸１３ａ間の距離Ｌ１よりも短くなる。さらに、各排気弁１５の弁軸１５ａとシリンダ２の軸線を、クランクシャフト（図示せず）に直交する平面Ｐ２に投影したときに為す角βは、各吸気弁１３の弁軸１３ａとシリンダ２の軸線を、平面Ｐ２に投影したときに為す角αよりも大きくなる。
【００３７】
次に、本発明の実施形態による火花点火式直噴エンジン１の作用を説明する。
エンジン１は、その吸気工程において、吸気弁１３がリフトして、吸気開口１２ａが開放されると共に、ピストン６が下降する。これにより、吸気開口１２ａを介してシリンダ２内に空気が吸入される。また、エンジン１が高負荷で運転されている場合には、インジェクタ８から噴霧すべき燃料の量が多いため、燃料噴霧が吸気工程から開始され、圧縮工程の終期まで続く。従って、この場合には、吸気弁１３がリフトしている間にも燃料が噴霧されることになるが、吸気開口１２ａの中心間距離Ｌ１が長く構成されているため、噴霧された燃料は、リフトした吸気弁１３に殆ど当たらない。また、吸気弁１３の弁軸１３ａは、クランクシャフト（図示せず）を含む平面Ｐ１に投影したとき、シリンダ軸線と平行になるように向けられている。このため、吸気弁１３はリフトしたときシリンダ軸線と平行に下降するので、下降に伴って吸気弁１３の間隔が狭くなることはなく、インジェクタ８から噴霧された燃料は、容易に吸気弁１３の間を通過する。
【００３８】
インジェクタ８から噴霧されたピストン側燃料噴霧１８ａ、１８ｂ、１８ｃは、下方のピストン６に近接した方向に向かうため、シリンダ２の側壁面に到達するまでの距離が長い。このため、ピストン側燃料噴霧１８ａ、１８ｂ、１８ｃは、シリンダ２の側壁面に到達する前に気化され、オイル希釈の原因となることはない。一方、プラグ側燃料噴霧１６ａ、１６ｂ、１６ｃは、ピストン側燃料噴霧１８ａ、１８ｂ、１８ｃよりも上方の点火プラグ１０に近接した方向に向けられるため、燃焼室４の天井壁に到達するまでの距離が短い。従って、点火プラグ１０の点火点１０ａの側方を通るプラグ側燃料噴霧１６ａ、１６ｂ、及び点火点１０ａの下方を通るプラグ側燃料噴霧１６ｃは、その多くが天井壁に達するまでに気化するが、一部は気化されずに燃焼室４の排気側傾斜面４ｃに到達する。
【００３９】
従来のエンジンでは、燃焼室４の天井壁に到達した燃料は、天井壁に付着した後、下方に向かい、シリンダの側壁面に流れ落ちる。これにより、シリンダ側壁面のオイルが希釈され、潤滑性能が低下する原因となる。これに対して、本実施形態の火花点火式直噴エンジン１では、燃焼室の天井壁の下端４ｄが、シリンダの側壁面よりも大きく内方に張り出しているので、燃料がシリンダ２の側壁面に流れることがない。即ち、天井壁に到達し、排気側傾斜面４ｃを流下した燃料は、天井壁の下端４ｄに到達すると、シリンダ２の側壁面には流れず、そのまま下方に落ちる。下方に落ちた燃料は、ピストン６の冠面に到達するが、ピストン冠面はオイルによる潤滑がなく、比較的高温であるため、燃料はそこで気化し、オイル希釈の原因とはならない。
【００４０】
プラグ側燃料噴霧１６ａ、１６ｂは、点火点１０ａの側方を通り排気弁１５付近に到達するが、天井壁の下端４ｄは排気弁１５の背面側の領域においても内方に張り出しているため、燃料はシリンダ２の側壁面に流れることなく落下する。また、プラグ側燃料噴霧１６ｃは、点火点１０ａの下方を通り、その多くが排気側傾斜面４ｃの下部の、各排気弁１５の間の領域に到達する。この領域においても、天井壁の下端４ｄは内方に張り出しているため、燃料はシリンダ２の側壁面に流れることなく落下する。また、本実施形態のエンジン１では、排気側傾斜面４ｃが球面状に形成されており、その傾斜が下端に向かって急激になっているため、天井壁の下端４ｄに到達した燃料がそのまま落下しやすくなっている。さらに、燃焼室４の排気弁１５付近は比較的高温であるため、排気側傾斜面４ｃに付着した燃料の一部は流下せず、壁面上で気化する。
【００４１】
また、本実施形態のエンジン１では、２本の吸気ポート１２の終端部が下流側に向かって間隔が広くなるように、湾曲した形状に形成されているため、各吸気開口１２ａから流入した空気は夫々、燃焼室４の周縁部に沿うように流れる。このため、２つの吸気開口１２ａの間のインジェクタ８から噴霧された燃料は、燃焼室４の周縁部に沿う空気の流れによって包み込まれ、燃焼室４の天井壁に到達し難くなる。
【００４２】
シリンダ２内に空気が吸入された後、吸気弁１３は吸気開口１２ａを閉鎖する。次いで、圧縮工程においては、下死点からピストン６が上昇に転じ、吸気工程で吸入された空気が圧縮される。圧縮工程において、ピストン６が上昇し、上死点に近づくと、天井壁の下端４ｄの下端から延びるスキッシュ面４ｅと、ピストン冠面に形成されたスキッシュ面６ｃが接近し、これらの面の間に挟まれた空気が燃焼室４の中心に向かって流れるスキッシュ流が発生する。このスキッシュ流により混合気の着火性が改善される。また、このスキッシュ流は、天井壁の下端４ｄから落下する燃料が、シリンダ２の側壁面に流れるのを防止する。ピストン６が上死点付近に到達すると、点火プラグ１０によって燃焼室４内の混合気に点火され、混合気の燃焼が開始される。
【００４３】
ピストン６が上死点を通過し、下降に転じる燃焼行程では、燃焼によって膨張した混合気がピストン６を下方に押し下げる。ピストン６を押圧する力は、コネクティングロッド（図示せず）を介してクランクシャフト（図示せず）に伝達され、クランクシャフトを回転させるトルクに変換される。次いで、ピストン６が下死点を通過し、上昇に転じる排気工程では、排気弁１５がリフトして排気開口１４ａが開放され、燃焼した混合気が排気ポート１４を介して排気される。さらに、ピストン６が上昇して、上死点を通過すると、吸気工程が開始される。以上の工程を繰り返すことにより、エンジン１が運転される。
【００４４】
本発明の実施形態の火花点火式直噴エンジンによれば、天井壁の下端がシリンダの側壁面よりも内方に張り出しているので、燃料噴霧量が多い高負荷領域においても、燃焼室内に噴霧した燃料によるオイル希釈を抑制することができる。このように、本実施形態の火花点火式直噴エンジンによれば、燃料が天井壁に付着してもこれがオイル希釈の原因とはならない。このため、燃料噴霧が天井壁やシリンダ側壁に当たらないように燃料の噴霧方向を設定する従来の設計とは異なる、天井壁に向けて燃料を噴霧する設計が可能となる。これにより、噴霧した燃料を点火プラグ付近に偏在させることが可能になり、成層燃焼によって燃費を改善することができる。
【００４５】
また、本実施形態の火花点火式直噴エンジンによれば、吸気弁の弁軸が、クランクシャフトを含む平面に投影したとき、シリンダ軸線と平行になるように向けられているので、吸気弁を駆動する機構を簡略化することができる。さらに、この構成により、吸気工程における燃料噴霧が吸気弁に当たるのを防止することができるので、混合気の成層化及び均質化が可能となり、混合気分布を良好にすることができる。
【００４６】
さらに、本実施形態の火花点火式直噴エンジンによれば、吸気弁の弁軸間の距離が排気弁の弁軸間の距離よりも長く構成されているので、吸気工程における燃料噴霧が吸気弁に当たるのを防止することができ、混合気分布を良好にすることができる。
【００４７】
また、本実施形態の火花点火式直噴エンジンによれば、排気弁の弁軸が、クランクシャフトを含む平面に投影したとき、シリンダ軸線と平行になるように向けられているので、排気開口が形成されている燃焼室の天井面が球面状であっても排気弁を駆動する機構を簡略化することができる。
【００４８】
さらに、本実施形態の火花点火式直噴エンジンによれば、２本の吸気ポートの終端部が、下流側に向かって間隔が広くなるように、湾曲した形状に形成されているので、吸気が燃焼室の周縁部に沿うように流れ、噴霧された燃料が燃焼室の天井壁に当たるのを防止することができる。
【００４９】
また、本実施形態の火花点火式直噴エンジンによれば、排気側傾斜面の傾斜が下端に向かって急激になっているので、天井壁の下端に到達した燃料の落下を助長し、燃料がシリンダ側壁面に流れるのを防止することができる。
【００５０】
さらに、本実施形態の火花点火式直噴エンジンによれば、天井壁の下端とシリンダ側壁面の間に延びる面をスキッシュ面として利用しているので、天井壁の下端から落下する燃料がシリンダ側壁面に流れるのを、スキッシュ流により防止することができる。
【００５１】
以上、本発明の好ましい実施形態を説明したが、上述した実施形態に種々の変更を加えることができる。
【図面の簡単な説明】
【００５２】
【図１】本発明の実施形態による火花点火式直噴エンジンの燃焼室付近を拡大して示す断面図である。
【図２】本発明の実施形態による火花点火式直噴エンジンのピストン、インジェクタ、点火プラグ等の位置関係を示す斜視図である。
【図３】本発明の実施形態による火花点火式直噴エンジンのシリンダヘッドをピストン側から見た下面図である。
【図４】図３のIV−IV線に沿って切断した燃焼室の天井壁の断面図である。
【符号の説明】
【００５３】
１      火花点火式直噴エンジン
２      シリンダ
４      燃焼室
４ａ    中央水平面
４ｂ    吸気側傾斜面
４ｃ    排気側傾斜面
４ｄ    天井壁の下端
４ｅ    スキッシュ面
６      ピストン
６ａ    頂点
６ｂ    隆起部
６ｃ    スキッシュ面
８      インジェクタ
１０    点火プラグ
１０ａ  点火点
１２    吸気ポート
１２ａ  吸気開口
１３    吸気弁
１３ａ  弁軸
１４    排気ポート
１４ａ  排気開口
１５    排気弁
１５ａ  弁軸
１６ａ、１６ｂ、１６ｃ  プラグ側燃料噴霧
１８ａ、１８ｂ、１８ｃ  ピストン側燃料噴霧
【図１】
2006258063.tif 000003
【図２】
2006258063.tif 000004
【図３】
2006258063.tif 000005
【図４】
2006258063.tif 000006